(57)【要約】【課題】複数のカードの同時装着を防止すると共に、カードに対して不適合な挿入口へカードの誤挿入を防止することができるカード用コネクタを提供すること。【解決手段】大型カード７１に対応した第１の挿入口１１および大型カード７１よりも幅狭板薄の小型カード７５に対応した第２の挿入口１２が形成されたハウジングと、第１の挿入口１１を開閉するシャッター部材５と、大型カード７１の第１の挿入口１１への非挿入時には、シャッター部材５を閉状態にロックし、大型カード７１の第１の挿入口１１への挿入時には、大型カード７１に駆動されてシャッター部材５のロックを解除すると共に、小型カード７５の第２の挿入口１２への挿入を規制するロック部材７とを備えた。【選択図】図５
2010251088.tif 000002
【特許請求の範囲】
【請求項１】
第１のカードに対応した第１の挿入口および前記第１のカードよりも幅狭板薄の第２のカードに対応した第２の挿入口が形成されたハウジングと、
前記第１の挿入口を開閉するシャッター部材と、
前記第１のカードの前記第１の挿入口への非挿入時には、前記シャッター部材を閉状態にロックし、前記第１のカードの前記第１の挿入口への挿入時には、前記第１のカードに駆動されて前記シャッター部材のロックを解除すると共に、前記第２のカードの前記第２の挿入口への挿入を規制するロック部材とを備えたことを特徴とするカード用コネクタ。
【請求項２】
前記ロック部材は、前記第２のカードの前記第２の挿入口への挿入時に、前記シャッター部材のロック解除を規制することを特徴とする請求項１に記載のカード用コネクタ。
【請求項３】
前記ロック部材は、前記シャッター部材の先端部に係合してロック解除を規制する係合突起と、閉状態で前記シャッター部材の先端部を前記係合突起から離間したロック解除可能位置と前記係合突起に係合するロック解除規制位置との間で揺動可能に保持する保持部とを有し、
前記シャッター部材の先端部は、前記第２のカードの前記第２の挿入口への非挿入時に、前記第１の挿入口から前記第２の挿入口側にはみ出した状態で前記ロック解除可能位置に位置し、前記第２のカードの前記第２の挿入口への挿入時に、前記第２のカードに当接して前記ロック解除規制位置に揺動すると共に、前記第２のカードの挿入を許容するように前記第１の挿入口側に退避することを特徴とする請求項２に記載のカード用コネクタ。
【請求項４】
前記第１の挿入口および前記第２の挿入口は厚み方向に隣接されており、
前記ロック部材は、前記第２の挿入口の幅方向外側に設けられたことを特徴とする請求項１から請求項３のいずれかに記載のカード用コネクタ。
【請求項５】
前記ロック部材は、前記第２のカードの幅よりも離間して一対設けられることを特徴とする請求項１から請求項４のいずれかに記載のカード用コネクタ。
【請求項６】
前記シャッター部材は、閉状態で挿入方向に向かって前記第２の挿入口側に傾斜して前記ロック部材にロックされることを特徴とする請求項１から請求項５のいずれかに記載のカード用コネクタ。
【発明の詳細な説明】
【技術分野】
【０００１】
本発明は、カード用コネクタに関し、特に、規格の異なる複数のカードの同時装着防止構造を備えたカード用コネクタに関する。
【背景技術】
【０００２】
従来、規格の異なる複数のカードの同時装着防止構造を備えたカード用コネクタとして、幅広板厚の第１のカードと幅狭板薄の第２のカードとのいずれか一方を装着した場合に、いずれか他方の挿入を規制するものが知られている（例えば、特許文献１参照）。このカード用コネクタは、ハウジングに第１のカードに対応した第１の挿入口および第２のカードに対応した第２の挿入口が上下２段に形成されており、第１の挿入口と第２の挿入口との仕切り部分には挿入規制部材が上下方向に回動可能に設けられている。挿入規制部材は、軸心から半径方向に延びる２つの規制板を有しており、２つの規制板が略９０°に直交するように形成されている。
【０００３】
このカード用コネクタにおいて、第１の挿入口内に第１のカードが挿入されると、一方の規制板に第１のカードの先端が当接されて挿入規制部材が下方に回動し、他方の規制板が第２の挿入口内に移動される。この状態では、第１のカードによって挿入規制部材の上方への戻りが規制されるため、第２の挿入口への第２のカードの挿入が防止される。逆に、第２の挿入口内に第２のカードが挿入されると、挿入規制部材が上方に回動し、一方の規制板により第１の挿入口への第１のカードの挿入が規制される。このように、挿入規制部材の上下方向の回動により第１のカードおよび第２のカードのいずれか一方が装着されると、いずれか他方の挿入が規制され、カードの同時装着が防止される。
【先行技術文献】
【特許文献】
【０００４】
【特許文献１】実用新案登録第３０９４３４８号公報
【発明の概要】
【発明が解決しようとする課題】
【０００５】
しかしながら、上記したような従来のカード用コネクタにおいては、第１のカードおよび第２のカードの同時装着が防止されるものの、カードの誤挿入を防止することができないという問題があった。すなわち、第２のカードは、第１のカードに対して幅狭板薄に形成されており、第１のカードに対応した第１の挿入口にも挿入可能な大きさであるため、第１の挿入口に誤挿入されるおそれがあった。
【０００６】
本発明はこのような実情に鑑みてなされたものであり、複数のカードの同時装着を防止すると共に、カードに対して不適合な挿入口へカードの誤挿入を防止することができるカード用コネクタを提供することを目的とする。
【課題を解決するための手段】
【０００７】
本発明のカード用コネクタは、第１のカードに対応した第１の挿入口および前記第１のカードよりも幅狭板薄の第２のカードに対応した第２の挿入口が形成されたハウジングと、前記第１の挿入口を開閉するシャッター部材と、前記第１のカードの前記第１の挿入口への非挿入時には、前記シャッター部材を閉状態にロックし、前記第１のカードの前記第１の挿入口への挿入時には、前記第１のカードに駆動されて前記シャッター部材のロックを解除すると共に、前記第２のカードの前記第２の挿入口への挿入を規制するロック部材とを備えたことを特徴とする。
【０００８】
この構成によれば、先に第１のカードが第１の挿入口に挿入された場合に、ロック部材により第２のカードの第２の挿入口への挿入が規制されるため、カードの同時装着を防止することができる。また、第１のカードの非挿入時に、シャッター部材が第１の挿入口を閉じた閉状態でロックされるため、第２のカードが第１の挿入口に挿入可能な大きさであっても、第２のカードの第１の挿入口への誤挿入を防止することができる。
【０００９】
また本発明は、上記カード用コネクタにおいて、前記ロック部材は、前記第２のカードの前記第２の挿入口への挿入時に、前記シャッター部材のロック解除を規制することを特徴とする。
【００１０】
この構成によれば、先に第２のカードが第２の挿入口に挿入された場合に、ロック部材によるシャッター部材のロック解除が規制されるため、第１のカードの第１の挿入口への挿入が規制され、カードの同時装着を防止することができる。
【００１１】
また本発明は、上記カード用コネクタにおいて、前記ロック部材は、前記シャッター部材の先端部に係合してロック解除を規制する係合突起と、閉状態で前記シャッター部材の先端部を前記係合突起から離間したロック解除可能位置と前記係合突起に係合するロック解除規制位置との間で揺動可能に保持する保持部とを有し、前記シャッター部材の先端部は、前記第２のカードの前記第２の挿入口への非挿入時に、前記第１の挿入口から前記第２の挿入口側にはみ出した状態で前記ロック解除可能位置に位置し、前記第２のカードの前記第２の挿入口への挿入時に、前記第２のカードに当接して前記ロック解除規制位置に揺動すると共に、前記第２のカードの挿入を許容するように前記第１の挿入口側に退避することを特徴とする。
【００１２】
この構成によれば、第２のカードの第２の挿入口への非挿入時には、シャッター部材の先端部がロック解除可能位置に位置するため、第１のカードの第１の挿入口への挿入によりロックが解除され、第２のカードの第２の挿入口への挿入時には、第２の挿入口側にはみ出したシャッター部材の先端部が第２のカードに押されて係合突起に係合してロック解除が規制される。したがって、先に第２のカードが第２の挿入口に挿入された場合に、ロック部材によるシャッター部材のロック解除が規制されるため、第１のカードの第１の挿入口への挿入が規制され、カードの同時装着を防止することができる。
【００１３】
また本発明は、上記カード用コネクタにおいて、前記第１の挿入口および前記第２の挿入口は厚み方向に隣接されており、前記ロック部材は、前記第２の挿入口の幅方向外側に設けられたことを特徴とする。
【００１４】
この構成によれば、ハウジングにおいて第１の挿入口および第２の挿入口の幅寸法の違いから生じる余剰スペースにロック部材を配置して、装置サイズを小型化することができる。
【００１５】
また本発明は、上記カード用コネクタにおいて、前記ロック部材は、前記第２のカードの幅よりも離間して一対設けられることを特徴とする。
【００１６】
この構成によれば、第２のカードにより一対のロック部材が同時に駆動されることがないため、第２のカードによるシャッター部材のロック解除を防止して、第２のカードの第１の挿入口への誤挿入を確実に防止することができる。
【００１７】
また本発明は、上記カード用コネクタにおいて、閉状態で前記シャッター部材は、挿入方向に向かって前記第２の挿入口側に傾斜して前記ロック部材にロックされることを特徴とする。
【００１８】
この構成によれば、第２のカードがシャッター部材に当接した場合に、第２のカードを第２の挿入口にガイドすることができる。
【発明の効果】
【００１９】
本発明によれば、複数のカードの同時装着を防止すると共に、カードに対して不適合な挿入口へカードの誤挿入を防止することができる。
【図面の簡単な説明】
【００２０】
【図１】本発明に係るカード用コネクタの実施の形態を示す図であり、カード用コネクタの斜視図である。
【図２】本発明に係るカード用コネクタの実施の形態を示す図であり、カード用コネクタの蓋体を外した斜視図である。
【図３】本発明に係るカード用コネクタの実施の形態を示す図であり、図１のＡ面における断面の部分拡大図である。
【図４】本発明に係るカード用コネクタの実施の形態を示す図であり、カード用コネクタの大型カードの挿入時の説明図である。
【図５】本発明に係るカード用コネクタの実施の形態を示す図であり、カード用コネクタの小型カードの挿入時の説明図である。
【図６】本発明に係るカード用コネクタの実施の形態を示す図であり、カード用コネクタの大型カードの排出構造の説明図である。
【図７】本発明に係るカード用コネクタの実施の形態を示す図であり、カード用コネクタの小型カードの排出構造の説明図である。
【図８】本発明に係るカード用コネクタの実施の形態を示す図であり、大型カードの斜視図である。
【図９】本発明に係るカード用コネクタの実施の形態を示す図であり、小型カードの斜視図である。
【発明を実施するための形態】
【００２１】
以下、本発明の実施の形態について添付図面を参照して詳細に説明する。なお、以下においては、本発明を大型カードおよび小型カードの２種類のカードを挿入可能としたコンバイン型のカード用コネクタに適用する場合について説明する。しかしながら、本実施の形態に係るカード用コネクタの適用対象については、これに限定されるものではなく適宜変更が可能である。
【００２２】
まず、本発明の実施の形態に係るカード用コネクタについて説明する前に装着対象となる大型カードおよび小型カードについて説明する。図８は、本発明の実施の形態に係る大型カードの斜視図である。図９は、本発明の実施の形態に係る小型カードの斜視図である。
【００２３】
図８に示すように、大型カード７１は、一定の幅（約４２．８ｍｍ）で挿入方向に一定の厚み（約３．３ｍｍ）で形成されたいわゆるＣＦカードであり、上面視略矩形状に形成されている。また、大型カード７１の両側壁には、一端から他端側の途中部分にかけて溝部７２が形成されている。溝部７２は、大型カード７１の挿入方向を識別するのに用いられ、この溝部７２が形成されている一端側が挿入方向における前端側とされ、他端側が挿入方向における後端側とされる。大型カード７１の前端部には、カード用コネクタ１の複数のピン端子１５に接続される図示しない複数のソケット部が幅方向に上下２列に配列形成されている。
【００２４】
図９に示すように、小型カード７５は、大型カード７１よりも幅狭（約２４．０ｍｍ）で大型カード７１よりも薄い（約２．１ｍｍ）厚みで形成されたいわゆるＳＤカードであり、上面視略矩形状に形成されている。小型カード７５の一の角部には、切り欠かれて約４５度に傾斜した傾斜面７６が形成されている。傾斜面７６は、小型カード７５の挿入方向を識別するのに用いられ、この傾斜面７６が形成されている側が挿入方向における前端側とされ、逆側が挿入方向における後端側とされる。また、小型カード７５の傾斜面７６が形成された先端側には、カード用コネクタ１の複数のコンタクト端子１７に接続される図示しない複数のパッドが幅方向に一列に設けられている。
【００２５】
次に、図１および図２を参照して、カード用コネクタの全体構成について説明する。図１は、本発明の実施の形態に係るカード用コネクタの斜視図である。図２は、本発明の実施の形態に係るカード用コネクタの蓋体を外した斜視図である。
【００２６】
図１および図２に示すように、本実施の形態に係るカード用コネクタ１は、上面および前面が開口されたコネクタ本体２と、コネクタ本体２の上面の開口に装着されてカードの装着空間を形成する蓋体３とを備え、コネクタ本体２および蓋体３が組み合わされて前面を開口した箱状体をなしている。また、カード用コネクタ１には、前面の開口の略上半部分を開閉するシャッター部材５が設けられており、このシャッター部材５により前面の開口に上下２つの挿入口１１、１２が形成される。
【００２７】
カード用コネクタ１の前面上側の挿入口は、大型カード７１用の第１の挿入口１１であり、シャッター部材５により開閉される。カード用コネクタ１の前面下側の挿入口は、小型カード７５用の第２の挿入口１２であり、常時開口されている。また、カード用コネクタ１内には、底面に対して水平に仕切板６が設けられており、仕切板６により装着空間が上下２つに仕切られている。この場合、装着空間の上側が第１の挿入口１１に連なる大型カード用の第１の装着空間、下側が第２の挿入口１２に連なる小型カード用の第２の装着空間となるように仕切られている。
【００２８】
コネクタ本体２の奥壁１４の前面部分には、第１の装着空間側に位置して複数のピン端子１５が幅方向に上下２列に設けられている。複数のピン端子１５は、奥壁１４の前面部分から第１の挿入口１１側に向かって延在している。コネクタ本体２の底壁１６の中央部分には、第２の装着空間側に位置して複数のコンタクト端子１７が幅方向に１列に設けられている（図７参照）。複数のコンタクト端子１７は、底壁１６の中央部分から奥壁１４側に向かって延在している。
【００２９】
また、コネクタ本体２の底壁１６には、挿入方向に沿って小型カード７５をガイドする一対のガイド壁２１が形成されている。一対のガイド壁２１の外方には、第２の挿入口１２側に一対の収容部２２が設けられ、この一対の収容部２２のそれぞれにシャッター部材５の先端部を両側からロックする一対のロック部材７が設けられている。一対のロック部材７は、大型カード７１の第１の挿入口１１への非挿入時にシャッター部材５を閉状態にロックし、大型カード７１の第１の挿入口１１への挿入時にシャッター部材５のロックを解除するように駆動する。なお、ロック部材７の詳細構成については後述する。
【００３０】
コネクタ本体２の一対の側壁２３は、前側が切り欠かれて形成されている。コネクタ本体２の一対の側壁２３の内面には、大型カード７１の挿入をガイドするガイド突部２４が内向きに突出しており、ガイド突部２４は側壁２３の途中部分から奥壁１４に向かって延在している。ガイド突部２４は、大型カード７１の前端側の溝部７２に係合し、正挿入時にのみ大型カード７１の装着を許容する。この場合、ガイド突部２４の延在長は、ピン端子１５の延在長よりも長めに形成されており、大型カード７１が前後逆に挿入されたときのピン端子１５との接触を防止している。
【００３１】
蓋体３は、金属性の板材を折り曲げて形成されており、コネクタ本体２の一対の側壁２３の切り欠かれた部分を補填する一対の側板３１を有している。一対の側板３１には、大型カード７１の側面を内向きに付勢する片持バネ３２と、大型カード７１の上面を下方に付勢する両持バネ３３とが形成されている。片持バネ３２および両持バネ３３により、大型カード７１の挿入時のガタツキが抑制される。
【００３２】
蓋体３の上板３４の前側には、幅方向両端側においてシャッター部材５を支持する一対の支持板３５が設けられている。シャッター部材５は、基端側の幅方向両端において一対の支持板３５に回動可能に支持される。このように、シャッター部材５は、上側で回動可能に軸支されて上開きするように構成されている。
【００３３】
コネクタ本体２の一の側壁２３および蓋体３の一の側板３１には、押しボタン３９を有する操作ユニット８が設けられている。操作ユニット８は、詳細構成については説明しないが、コネクタ本体２の奥壁１４の上面に設けられた排出機構９に連結し、排出機構９を排出動作させる。排出機構９は、操作ユニット８の駆動に連動する主動アーム４１と、主動アーム４１の駆動に従動する従動アーム４２とを有している。主動アーム４１および従動アーム４２は、それぞれ蓋体３の上板３４に形成された支持部３６、３７にそれぞれ回動可能に支持され、支持部３６、３７を中心に前後に回動される。
【００３４】
そして、大型カード７１または小型カード７５が装着されると、主動アーム４１および従動アーム４２が後方に回動して、操作ユニット８の押しボタン３９が前方に押し出される。この装着状態から押しボタン３９が押されると、主動アーム４１および従動アーム４２が前方に回動して、大型カード７１または小型カード７５が排出される。
【００３５】
図３を参照して、シャッター部材およびロック部材の詳細構成について説明する。図３は、図１のＡ面における断面の部分拡大図である。
【００３６】
図３に示すように、シャッター部材５は、蓋体３に設けられた支持板３５に上開き可能に支持されている。支持板３５に挿通支持されたシャッター部材５の軸部５１には、巻きバネ５２が挿通されている。巻きバネ５２は、一端が蓋体３の上板３４の内面に当接し、他端がシャッター部材５の背面に当接して、シャッター部材５を前方に付勢している。シャッター部材５の先端部５３は、挿入方向に沿って下方に屈曲しており、第１の挿入口１１から僅かに第２の挿入口１２側にはみ出ている。
【００３７】
ロック部材７は、シャッター部材５を閉状態にロックするものであり、コネクタ本体２の収容部２２に上下方向に回動可能に支持されている。ロック部材７の収容部２２に挿通支持される軸部６１には、巻きバネ６２が挿通されている。巻きバネ６２は、一端が収容部２２の下面に当接し、他端がロック部材７の底面に当接して、ロック部材７を上方に付勢している。
【００３８】
ロック部材７の前側は、大型カード７１に当接する当接部６３となっており、当接部６３は前方に向かって下るように傾斜面６４が形成されている。当接部６３は、大型カード７１に当接されると、軸部６１を中心としてロック部材７を下方に回動させて、シャッター部材５のロックを解除する。ロック部材７の当接部６３の後方には、閉状態でシャッター部材５の先端部５３を保持する保持部６５が形成されている。保持部６５は、凹状に形成されており、閉状態において前後一対の対向面でシャッター部材５の回動範囲を規制している。
【００３９】
保持部６５の対向面のうち後方に位置する面には、前方に向けて係合突起６６が突出している。係合突起６６は、シャッター部材５の屈曲した先端部５３に係合することで、ロック部材７の下方への回動を規制している。すなわち、保持部６５は、シャッター部材５の先端部５３が前面に接している状態では、シャッター部材５のロックを解除可能とし、シャッター部材５の先端部５３が係合突起６６に係合している状態では、シャッター部材５のロックの解除を規制している。このように、保持部６５は、係合突起６６から離間したロック解除可能位置と係合突起６６に係合されるロック解除規制位置との間でシャッター部材５を保持している。
【００４０】
ロック部材７の保持部６５の後方部分には、装着空間に向かって挿入阻止部６７が突出している。挿入阻止部６７は、ロック部材７が上方に位置している場合に第１の挿入口１１に位置し、ロック部材７が大型カード７１に押し下げられた場合に、コネクタ本体２のガイド壁２１に形成された逃げ溝６８に侵入して第２の挿入口１２に移動する。第２の挿入口１２に移動された挿入阻止部６７は、小型カード７５の第２の挿入口１２への挿入を阻止する。
【００４１】
図４および図５を参照して、カード用コネクタによる同時装着防止構造および誤装着防止構造について説明する。図４は、本発明の実施の形態に係るカード用コネクタの大型カードの挿入時の説明図であり、（ａ）は挿入前の初期状態、（ｂ）は挿入開始状態、（ｃ）は挿入完了状態をそれぞれ示している。図５は、本発明の実施の形態に係るカード用コネクタの小型カードの挿入時の説明図であり、（ａ）は挿入前の初期状態、（ｂ）は挿入開始状態、（ｃ）は挿入完了状態をそれぞれ示している。
【００４２】
最初に、図４を参照して、大型カード７１の同時装着防止構造および誤装着防止構造について説明する。図４（ａ）に示すように、初期状態において、巻きバネ６２の付勢力により一対のロック部材７が上方に押し上げられており、シャッター部材５が閉状態でロックされている。このとき、シャッター部材５は、巻きバネ５２により前方に付勢されて、先端部５３が保持部６５のロック解除可能位置に押し付けられている。この状態では、第２の挿入口１２の大きさが大型カード７１に対して小さいため、第２の挿入口１２に大型カード７１が誤挿入されることはない。
【００４３】
この初期状態から、図４（ｂ）に示すように、第１の挿入口１１に大型カード７１が挿入されると、大型カード７１の前端部に一対のロック部材７の傾斜面６４が当接する。大型カード７１の前端部により一対のロック部材７の傾斜面６４が押圧されると、巻きバネ６２の付勢力に抗してロック部材７が押し下げられ、シャッター部材５の先端部５３がロック部材７の保持部６５から外れてロックが解除される。このとき、ロック部材７の押し下げにより、挿入阻止部６７が第１の挿入口１１から第２の挿入口１２に移動する。
【００４４】
さらに大型カード７１が第１の挿入口１１内に挿入されると、大型カード７１の前端部がシャッター部材５に当接される。大型カード７１の前端部によりシャッター部材５が押圧されると、巻きバネ５２の付勢力に抗してシャッター部材５が後方に上開きされ、第１の挿入口１１が開口される。
【００４５】
この状態から、さらに大型カード７１が第１の挿入口１１内に挿入されると、図４（ｃ）に示すように、大型カード７１のソケット部がピン端子１５に係合して大型カード７１がカード用コネクタ１に装着される。このとき、一対のロック部材７の挿入阻止部６７は、第２の挿入口１２に位置するため、小型カード７５の第２の挿入口１２への挿入が阻止される。このように、大型カード７１が先に装着された場合に、ロック部材７の挿入阻止部６７により小型カード７５の同時装着が防止される。
【００４６】
次に、図５を参照して、小型カード７５の同時装着防止構造および誤装着防止構造について説明する。図５（ａ）に示すように、初期状態において、巻きバネ６２の付勢力により一対のロック部材７が上方に押し上げられており、シャッター部材５が閉状態でロックされている。このとき、シャッター部材５は、巻きバネ５２により前方に付勢されて、先端部５３が保持部６５のロック解除可能位置に押し付けられている。また、シャッター部材５の先端部５３が僅かに第１の挿入口１１から第２の挿入口１２側にはみ出している。
【００４７】
この初期状態では、第１の挿入口１１の大きさが小型カード７５に対して十分に大きいが、シャッター部材５が閉状態でロックされているため、第１の挿入口１１に小型カード７５が誤挿入されることがない。この場合、一対のロック部材７は、小型カード７５の幅寸法よりも離間した第２の挿入口１２の外側に設けられているため、小型カード７５で一対のロック部材７を同時に駆動させることはできない。したがって、小型カード７５の第１の挿入口１１への誤挿入が確実に防止される。
【００４８】
また、この初期状態では、シャッター部材５は、挿入方向に向かって下方に傾斜するようにロック部材７に保持されている。この場合、第１の挿入口１１に小型カード７５を挿入させようとした場合、小型カード７５がシャッター部材５に当接され、シャッター部材５の傾きにより第２の挿入口１２にガイドされる。
【００４９】
この初期状態から、図５（ｂ）に示すように、第２の挿入口１２に小型カード７５が挿入されると、小型カード７５の前端部に第２の挿入口１２側にはみ出したシャッター部材５の先端部５３が当接する。小型カード７５の前端部によりシャッター部材５の先端部５３が押圧されると、巻きバネ５２の付勢力に抗してシャッター部材５の先端部５３が保持部６５のロック解除規制位置に移動される。そして、シャッター部材５の先端部５３がロック解除規制位置において係合突起６６に係合されて、ロック部材７の押し下げが規制される。
【００５０】
この状態から、さらに小型カード７５が第２の挿入口１２内に挿入されると、図５（ｃ）に示すように、小型カード７５のパッドがコンタクト端子１７に接触して小型カード７５がカード用コネクタ１に装着される。このとき、シャッター部材５の先端部５３とロック部材７の係合突起６６との係合により、大型カード７１がロック部材７の当接部６３に当接した場合であっても、ロック解除が規制される。このように、小型カード７５が先に装着された場合に、シャッター部材５は大型カード７１の第１の挿入口１１への挿入に関わらず閉状態を維持し続けて、大型カード７１の同時装着が防止される。
【００５１】
このように、カード用コネクタ１は、大型カード７１および小型カード７５の同時装着を防止すると共に、大型カード７１用の第１の挿入口１１に小型カード７５が誤挿入されるのを防止している。また、シャッター部材５がカード用コネクタ１の前面において第１の挿入口１１を閉状態としているため、小型カード７５が誤挿入されそうになった場合に、第１の挿入口１１の内部に挿入させることなく小型カード７５の挿入を防止することができる。この構成により、ユーザに対し誤挿入を明確に認識させることが可能となる。さらに、ロック部材７に挿入阻止部６７が設けられているため、ロック部材７の駆動に連動させて第２の挿入口１２への小型カード７５の挿入を阻止させることが可能となる。
【００５２】
図６および図７を参照して、カード用コネクタによるカードの排出構造について説明する。図６は、本発明の実施の形態に係るカード用コネクタの大型カードの排出構造の説明図である。図７は、本発明の実施の形態に係るカード用コネクタの小型カードの排出構造の説明図であり、（ａ）は上面図、（ｂ）は背面図をそれぞれ示している。なお、図６および図７（ａ）は、説明の便宜上、蓋体の輪郭を破線で示している。
【００５３】
最初に、図６を参照して、大型カード７１の排出構造について説明する。図６に示すように、排出機構９は、蓋体３の支持部３６、３７に回動可能に支持された主動アーム４１および従動アーム４２を有し、従動アーム４２は爪片４５を介して主動アーム４１に連動するように構成されている。また、主動アーム４１および従動アーム４２には大型カード７１に当接する当接片４６、４７が設けられており、当接片４６、４７は、第１の装着空間から第２の装着空間に向かって下方に延在している。
【００５４】
カード用コネクタ１に大型カード７１が装着されると、大型カード７１により当接片４６、４７を介して主動アーム４１および従動アーム４２が後方に回動される。この大型カード７１が装着された状態から、操作ユニット８の押しボタン３９を図示矢印方向に押し込むと、主動アーム４１が前方に回動すると共に、従動アーム４２が前方に回動する。この主動アーム４１および従動アーム４２の前方への回動により、当接片４６、４７により大型カード７１が排出方向に押し出されて排出される。
【００５５】
次に、図７を参照して、小型カード７５の排出構造について説明する。図７（ａ）、（ｂ）に示すように、排出機構９は、主動アーム４１および従動アーム４２と連動して駆動する排出プレート４８を有している。排出プレート４８は、幅方向に延在し、コネクタ本体２の底面側にスライド可能に配置されている。排出プレート４８の延在方向における中間部分には、小型カード７５に当接する一対の当接片４９が設けられている。また、排出プレート４８は、後方において主動アーム４１および従動アーム４２の当接片４６、４７に当接されている。
【００５６】
カード用コネクタ１に小型カード７５が装着されると、小型カード７５により排出プレート４８を介して主動アーム４１および従動アーム４２が後方に回動される。この小型カード７５が装着された状態から、操作ユニット８の押しボタン３９を図示矢印方向に押し込むと、主動アーム４１が前方に回動すると共に、従動アーム４２が前方に回動する。この主動アーム４１および従動アーム４２の前方への回動により、排出プレート４８が当接片４６、４７により排出方向に押し出される。排出プレート４８が押しだされると、一対の当接片４９により小型カード７５が排出方向に押し出されて排出される。
【００５７】
このように、本実施の形態における排出機構９は、大型カード７１用の排出機構および小型カード７５用の排出機構を兼ねており、排出機構９の駆動により大型カード７１に対する排出動作および小型カード７５に対する排出動作が同時に行われる。したがって、万が一、大型カード７１および小型カード７５が同時に装着された場合には、大型カード７１および小型カード７５が同時に排出されるという不具合が生じる。本発明に係るカード用コネクタ１においては、大型カード７１および小型カード７５の一方だけしか装着させることができないため、同時排出の不具合が起こることがない。このように、本発明は、特に、２種類のカードを同時排出する排出機構を備えたカード用コネクタに有効である。
【００５８】
以上のように、本実施の形態に係るカード用コネクタ１によれば、先に大型カード７１が第１の挿入口１１に挿入された場合に、ロック部材７の挿入阻止部６７により小型カード７５の第２の挿入口１２への挿入が規制されるため、大型カード７１および小型カード７５の同時装着を防止することが可能となる。また、先に小型カード７５が第２の挿入口１２に挿入された場合に、ロック部材７のシャッター部材５対するロック解除が規制されて大型カード７１の第１の挿入口１１への挿入が規制されるため、大型カード７１および小型カード７５の同時装着を防止することが可能となる。また、大型カード７１の非挿入時に、シャッター部材５が第１の挿入口１１を閉じた閉状態でロックされるため、第１の挿入口１１への小型カード７５の誤挿入を防止することが可能となる。
【００５９】
なお、上記した実施の形態においては、大型カードをＣＦカード、小型カードをＳＤカードとして説明したが、この構成に限定されるものではない。本発明は、一方のカードに対して他方のカードが幅狭板薄である異なる規格のカードに対応可能である。
【００６０】
また、上記した実施の形態においては、一対のロック部材においてシャッター部材を２箇所でロックする構成としたが、この構成に限定されるものではない。シャッター部材をロック可能であればよく、一つのロック部材によりシャッター部材をロックする構成としてもよいし、３つ以上のロック部材によりシャッター部材をロックする構成としてもよい。
【００６１】
また、上記した実施の形態においては、シャッター部材を板状に形成したが、この構成に限定されるものではない。小型カードの第１の挿入口への挿入を防止可能であればよく、例えば、小型カードが挿通不能なスリットが形成されたものや枠状に形成されたものであってもよい。
【００６２】
また、上記した実施の形態においては、シャッター部材の先端部とロック部材の係合突起との係合によりロック部材のロック解除を規制する構成としたが、この構成に限定されるものではない。小型カードの第２の挿入口への挿入時にロック部材のロック解除を規制可能な構成であればよく、例えば、ロック部材とは別にシャッター部材のロック解除を規制する部材を設ける構成としてもよい。
【００６３】
また、上記した実施の形態においては、上段側に大型カード用の挿入口を形成し、下段側に小型カード用の挿入口を形成するとしたが、この構成に限定されるものではない。上段側に小型カード用の挿入口を形成し、下段側に大型カード用の挿入口を形成する構成としてもよい。なお、この場合には、シャッター部材を下開き可能な構成とすると共に、ロック部材を大型カードの挿入に応じて上動するような構成にする。
【００６４】
また、上記した実施の形態においては、シャッター部材の先端部が第１の挿入口から第２の挿入口にはみ出す構成としたが、このはみ出し量は、シャッター部材がロック解除規制位置に移動されたときに、小型カードの第２の挿入口への挿入を許容する程度であればよい。また、シャッター部材の先端部の延在方向の全てがはみ出す必要はなく、少なくとも一部がはみ出していればよい。
【００６５】
また、上記した実施の形態においては、シャッター部材が挿入方向に沿って下方に傾斜してロック部材に保持される構成としたが、この構成に限定されるものではない。シャッター部材を閉状態にロックしている状態で、小型カードの第２の挿入口へのガイドが不要であれば傾斜させる必要はない。
【００６６】
また、上記した実施の形態においては、本発明を押しボタン式の排出構造を備えたカード用コネクタに適用して説明したが、この構成に限定されるものではない。異なるサイズの複数のカードを選択的に装着可能なカード用コネクタであればよく、例えば、本発明をプッシュ−プッシュ式の排出構造を備えたカード用コネクタに適用してもよい。
【００６７】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００６８】
以上説明したように、本発明は、複数のカードの同時装着を防止すると共に、カードに対して不適合な挿入口へカードの誤挿入を防止することができるという効果を有し、特に、規格の異なる複数のカードの同時装着防止構造を備えたカード用コネクタに有用である。
【符号の説明】
【００６９】
１  カード用コネクタ
２  コネクタ本体（ハウジング）
３  蓋体（ハウジング）
５  シャッター部材
７  ロック部材
１１  第１の挿入口
１２  第２の挿入口
１５  ピン端子
１７  コンタクト端子
２１  ガイド壁
２２  収容部
３１  側板
３５  支持板
３６、３７  支持部
４１  主動アーム
４２  従動アーム
４８  排出プレート
５３  先端部
６３  当接部
６４  傾斜面
６５  保持部
６６  係合突起
６７  挿入阻止部
７１  大型カード（第１のカード）
７５  小型カード（第２のカード）
【図１】
2010251088.tif 000003
【図２】
2010251088.tif 000004
【図３】
2010251088.tif 000005
【図４】
2010251088.tif 000006
【図５】
2010251088.tif 000007
【図６】
2010251088.tif 000008
【図７】
2010251088.tif 000009
【図８】
2010251088.tif 000010
【図９】
2010251088.tif 000011